(57)【要約】【課題】斬新かつ、迅速に棚板支持部材を装脱して棚板の位置を容易に変更することができる棚板等の受け具の基部構造の提供をする。【解決手段】縦方向の１面に円弧面が、該円弧面に連続して縦方向の平行２平面が形成された縦長柱状体の縦方向における平行２平面の複数箇所に係止部を設けた一対の稼動部支持具２と、前記稼動部支持具２に係合しつつ縦方向に摺動可能かつ該稼動部支持具２の係止部５に係脱しうる可動係止片１１が設けられた一対の棚板支持部材とから成り、可動係止片は上端側を中心にして開閉した下端側端部を係止部に自動的に係脱する構成である。【選択図】      図４
2005013556.tif 000002
【特許請求の範囲】
【請求項１】
商品を壁面に陳列する棚の棚板、アーム状吊下げ具或いはフック陳列具など等受け具の基部構造であって、
扁平な縦長の板状体扁平面に一定間隔で複数個の係止部が設けられた稼動部材支持具と、
前記稼動部支持具に摺動可能に係合する係合凹部が形成された係合ボス及び該係合ボスの下方に延設されたガイドボスと、該係合ボスの前面に突出形成された支持腕で構成される前記棚板支持部材とから構成され、
該係合ボスの係合凹部両内壁面に前記可動係止片を収納する収納空間が凹設され前記可動係止片は該収納空間内にて上端側を回転中心にして弾性体の弾性力により開閉し下端側が前記係合凹部部内に張出可能に設けられたことを特徴とする棚板等の受け具の基部構造。
【請求項２】
前記棚板支持部材は、前記稼動部支持具に摺動可能に係合する係合凹部が形成された係合ボス及び該係合ボスの下方に延設されたガイドボスと、該係合ボスの前面に突出形成された支持腕とから成り、該係合ボスの係合凹部両内壁面に前記可動係止片を収納する収納空間が凹設され前記可動係止片は該収納空間内にて上端側を回転中心にして弾性体の弾性力により開閉し下端側が前記係合凹部部内に張出可能に設けられたことを特徴とする請求項１記載の棚板等の受け具の基部構造。
【請求項３】
前記稼動部支持具は、縦方向の平行２平面における複数箇所に係止凹部から成る係止部が対向形成され、該係合凹部内に前記棚板支持部材側の可動係止片が開いた際の突出端面が係止される係止座面が設けられたことを特徴とする請求項１記載の棚板等の受け具の基部構造。
【請求項４】
前記棚板支持部材の係合ボス内に設けられた一対の可動係止片それぞれの上端側方に雄形円弧状摺動面が形設され、該雄形円弧状摺動面に対向する係合ボス側に雌形円弧状摺動面が形設されて、前記両円弧状摺動面が係合しかつ摺動させつつ開閉作動する回動部が設けられたことを特徴とする請求項１記載の棚板等の受け具の基部構造。
【請求項５】
前記可動係止片の上端側に雄形円弧面を形成し、対向する係合ボス側収納空間の上端側に雌形円弧面を形成して前記両円弧面を係合しかつ摺動させつつ該可動係止片を開閉することを特徴とする請求項１記載の棚板等の受け具の基部構造。
【請求項６】
前記弾性体がばね材から成ることを特徴とする請求項１記載の棚板等の受け具の基部構造。
【発明の詳細な説明】
【０００１】
【発明の属する技術分野】
本発明は、デパートその他の販売店などにて商品を壁面に陳列する棚の棚板等の受け具の基部構造に関する。
【０００２】
【従来の技術】
従来の棚板受け具は、例えば図５及び６に示すように商品などを壁面に陳列するために、水平方向に複数の鈎状溝３１が形成された広い板状稼動部支持具３２を壁面に取り付け、この稼動部支持具３２の適当な高さの溝３１における水平方向における任意の位置に対して、鈎状溝３１に係止し得る形状の鈎状係止片３３を有する棚板支持部材を係止するものが公知である。
【０００３】
また、特許文献１（図７）に示されるように、柱状体の縦方向における複数箇所に係止穴４２が形成された稼動部支持具の適当な高さの係止穴４２に対して、係止穴４２に係止し得る鈎状係止片４４を有する棚板支持部材４３を係止するものが公知である。
【０００４】
【特許文献】
特開平０９−１８９０９４号公報
【０００５】
【発明が解決しようとする課題】
しかし、前記従来の棚板受け具は、それなりに有効に利用されるべきものと思われるが、本願発明は前記従来の２例とは構成を異にする斬新なもので、しかも棚板支持部材の係脱や棚板の位置変更が容易かつを迅速に行なうことができる棚板等の受け具の基部構造の提供を目的とする。
【０００６】
【課題を解決するための手段】
上記目的を達成するため、本発明の棚板等の受け具の基部構造に係る請求項１は、デパートその他の販売店などで商品を壁面に陳列する棚の棚板、アーム状吊下げ具或いはフック陳列具など等受け具の基部構造であって、縦方向の１面に円弧面が、該円弧面に連続して縦方向の平行２平面が形成された縦長柱状体の縦方向における前記平行２平面の複数箇所に係止部が設けられた一対の稼動部支持具と、前記稼動部支持具に係合しつつ縦方向に摺動可能かつ該稼動部支持具の係止部に係脱しうる可動係止片が設けられた一対の棚板支持部材とから成ることを特徴とするものである。
【０００７】
請求項２は、前記棚板支持部材は、前記稼動部支持具に摺動可能に係合する係合凹部が形成された係合ボス及び該係合ボスの下方に延設されたガイドボスと、該係合ボスの前面に突出形成された支持腕とから成り、該係合ボスの係合凹部両内壁面に前記可動係止片を収納する収納空間が凹設され前記可動係止片は該収納空間内にて上端側を回転中心にして弾性体の弾性力により開閉し下端側が前記係合凹部部内に張出可能に設けられたことを特徴とするものである。
【０００８】
請求項３は、前記稼動部支持具は、縦方向の平行２平面における複数箇所に係止凹部から成る係止部が対向形成され、該係合凹部内に前記棚板支持部材側の可動係止片が開いた際の突出端面が係止される係止座面が設けられたことを特徴とするものである。
【０００９】
請求項４は、前記棚板支持部材の係合ボス内に設けられた一対の可動係止片それぞれの上端側方に雄形円弧状摺動面が形設され、該雄形円弧状摺動面に対向する係合ボス側に雌形円弧状摺動面が形設されて、前記両円弧状摺動面が係合しかつ摺動させつつ開閉作動する回動部が設けられたことを特徴とするものである。
【００１０】
請求項５は、前記可動係止片の上端側に雄形円弧面を形成し、対向する係合ボス側収納空間の上端側に雌形円弧面を形成して前記両円弧面を係合しかつ摺動させつつ該可動係止片を開閉することを特徴とするものである。
【００１１】
請求項６は、前記弾性体がばね材から成ることを特徴とするものである。
【００１２】
請求項１によれば、本発明の棚板等の受け具の基部構造は、縦長柱状体の縦方向における平行２平面の複数箇所に係止部が設けられた稼動部支持具と、一方、前記稼動部支持具に係合し得る形状の係合凹部が形成された棚板支持部材とにより、棚板支持部材を稼動部支持具に係合させて上下方向に移動させるだけで適当な位置の係止部に可動係止片を迅速かつ簡単に係脱することが可能である。
【００１３】
請求項２によれば、前記棚板支持部材は、前記稼動部支持具の外面に係合する係合凹部の両内壁に可動係止片の収納空間が設けられており、棚板支持部材は可動係止片がこの収納空間内に収納されるこにより稼動部支持具に係合が可能となり、かつ縦方向の移動が可能になる。また、棚板支持部材が稼動部支持具の係止部に至ると、可動係止片は弾性体の弾性力により開らいて係合凹部内に突出し、その端部が稼動部支持具の係止部に係止される。
【００１４】
なお、棚板支持部材は稼動部支持具から取り外すと、可動係止片は弾性体の弾性力にて係合凹部内に自動的に突出するが、棚板支持部材を稼動部支持具に係合する際に、棚板支持部材の係合凹部を稼動部支持具の円弧面に押し当てることにより可動係止片は円弧面に押圧されて自動的に収納空間内に押し込まれるので係合が可能になる。
【００１５】
請求項３によれば、前記稼動部支持具の両平行面に対向形成された係止凹部内に、棚板支持部材側の可動係止片が開いた際に突出した端面を係止する係止座面が設けられているので、可動係止片は開くと同時に係止凹部に入り込んで係止座面に係止される。また係止部に係止された棚板支持部材は、上方に移動するだけで可動係止片が係止凹部の斜面に押圧されて後退し収納空間内に押し込められるので上下方向の摺動が可能になる。
【００１６】
請求項４によれば、前記棚板支持部材の係合ボス内に設けられた可動係止片の上部側方に雄形円弧状摺動面が形設され、該雄形円弧状摺動面に対向する係合ボス側に雌形円弧状摺動面が形設されているので、この両円弧状摺動面を係合させその相互間を摺動させることにより可動係止片を円滑に開閉することが可能になる。
【００１７】
請求項５によれば、可動係止片の突出端面が稼動部支持具の係止座面に係止された棚板支持部材は、可動係止片の上端が雄形円弧面が前記係合ボスの収納空間上方の雌形円弧面に当接し、同時に可動係止片の両側面が収納空間の両側壁及び稼動部支持具側の係止凹部両内側面に拘束され、更に前記係合ボス及びガイドボスの係合凹部後端面が稼動部支持具の円弧面に当接することにより棚荷重が確実に支持される。
【００１８】
請求項６によれば、可動係止片を開閉する弾性体がばね材から成るので、開閉に必要な弾性力が確実に得られ、かつ棚板支持部材の構成を簡素にすることができる。
【００１９】
【発明の実施の形態】
以下、本発明の実施の形態を図面に基づいて説明する。
図１から図４は本発明の実施の形態に係り、図１は棚板等の受け具の基部構造の概略構成を示す図、図２は稼動部支持具に棚板支持部材を係合した状態を示す斜視図、図３は可動係止片の収納状態を示す断面図。図４は可動係止片の係止状態を示す断面図である。
【００２０】
本発明の棚板等の受け具の基部構造１は、デパートその他の販売店などにて商品を壁面に陳列する棚の棚板等の受け具の基部構造であって、図１に示すように縦長柱状体の縦方向における前複数箇所に係止部５が設けられた一対の稼動部支持具２と、この稼動部支持具２に係合しつつ縦方向に摺動して適当な位置の係止部５に係脱自在に設けられた設けられた一対の棚板支持部材３とから成るものである。
【００２１】
前記稼動部支持具２は、図２に示すように、長手方向の一面に円弧面２ａに形成され、この円弧面２ａに連なる平行２面２ｂ，２ｃにおける縦方向の複数箇所に係止部５である係止凹部５ａ，５ｂ（図３、図４）が対向形成されている。因みに本発明では複数の係止部５の相互間隔が２５ｍｍに設定されている。
【００２２】
前記棚板支持部材３は、図２に示すように係合ボス８、係合ボス８の下方に連設されたガイドボス９及び係合ボス８の前方に突設された棚板支持腕１０とから成っている。係合ボス８には稼動部支持具２の円弧面２ａ及び円弧面２ａに連なる平行面２ｂ，２ｃに係合して縦方向に摺動しうる係合凹部７が形成され、図３に示すように係合ボス８の係合凹部７内における両壁面には可動係止片１１を収納する収納空間１２が形設されている。
【００２３】
この収納空間１２に収納される可動係止片１１は、その上端側を回転中心にして弾性体、即ちばね１３の弾性力にて下端側が内方に開閉（図４）することにより稼動部支持具２側の係止凹部５ａ，５ｂ内に張出可能に構成されている。
【００２４】
一方、稼動部支持具２側に形成された係止凹部５ａ，５ｂには、可動係止片１１が開いた際に突出した突出端部の端面１４を係止する係止座面１５が設けられている。
【００２５】
それから、棚板支持部材側３の係合ボス８内に設けられた可動係止片１１は、その上端における側方に雄形円弧状摺動面１６が形設され、この雄形円弧状摺動面１６に対向する係合ボス８側に雌形円弧状摺動面１７が形設されていて、この両円弧状摺動面１６，１７が係合しかつその相互間が摺動し合うことにより円滑に開閉作動が行なわれるように構成されている。
【００２６】
また、可動係止片１１の上端には雄形円弧面１８が形成され、対向する係合ボス８側収納空間上端には雌形円弧面１９が形成されていて、両円弧面１８，１９が係合して棚荷重を受けつつ摺動するように構成されている。更に可動係止片１１はその前後面が収納空間１２の両側壁及び稼動部支持具２側の係止凹部５ａ，５ｂの両内側壁に拘束され、かつ前記係合ボス８及びその下端に連設されたガイドボス９の係合凹部７後端面が前記稼動部支持具２の円弧面２ａに当接することにより、棚荷重が確実に支持される。
【００２７】
次に、上記構成の棚板等の受け具の基部構造の作用について説明する。
棚板支持部材３の可動係止片１１は、稼動部支持具２に装着する前の状態として、ばね１３の弾性力にて係合ボス８の係合凹部７内面に突出している。この状態の棚板支持部材３は、係合凹部７を稼動部支持具２の円弧面２ａに押し当てることにより可動係止片１１は円弧面２ａに当接し押圧されて収納空間１２内に押し込められつつ装着が可能になる。
【００２８】
このようにして棚板支持部材３が係合した位置が、例えば図３に示すように稼動部支持具２の係止部５以外の部分、即ちランド部２０である場合には可動係止片１１が収納得空間１２内に収納されているのでそのまま上下に移動することが可能であり、そのまま引き抜くことも可能である。またその位置から係止部５に移動すれば可動係止片１１がばね１３の弾性力で自動的に開き、その端部が係止凹部５ａ，５ｂに入り込んで、図４に示すようにその端面１４が係止座面１５に係止され、装着が完了する。
【００２９】
また、係止された棚板支持部材３を稼動部支持具２から取り外すときは、図４に示す係止状態から棚板支持部材３を上方に移動させることにより可動係止片１１が稼動部支持具２の係止凹部５ａ，５ｂに形成された斜面２１に押圧されて後退しつつ稼動部支持具２のランド部２０に乗り上げて、図３に示すように収納空間１２内に収納され、可動係止片１１の係止が解除されるのでそのまま引き抜くことが可能になる。
【００３０】
【発明の効果】
本発明の棚板等の受け具の基部構造によれば、稼動部支持具は縦長の柱状体で、その両側面の縦方向における複数箇所に係止凹部からなる係止部が設けられているので、棚板支持部材は稼動部支持具に係合させた状態で上下に移動することにより係止部に至ったところで可動係止片が自動的に突出して係止部に係止される。
【００３１】
また、棚板支持部材を取り外すときは、棚板支持部材を上方に移動させるだけで係止を解除することができるので簡単かつ迅速に引き抜くことが可能となる。以上により、本発明の棚板等の受け具の基部構造は、現場の要求に応じて迅速かつ容易にに装着することができる。
【図面の簡単な説明】
【図１】本発明の実施の形態に係る棚板等の受け具の基部構造の概略構成を示す図である。
【図２】稼動部支持具に棚板支持部材を係合した状態を示す斜視図である。
【図３】動係止片の収納状態を示す断面図である。
【図４】可動係止片の係止状態を示す断面図である。
【図５】従来の棚板等の受け具の基部構造の説明図である。
【図６】従来の棚板等の受け具の基部構造の説明図である。
【図７】従来の棚板等の受け具の基部構造の説明図である。
【符号の説明】
１…棚板等の受け具の基部構造
２…稼動部支持具
３…棚板支持部材
５…係止部
６…棚板
７…係合凹部
８…係合ボス
９…ガイドボス
１０…棚板支持腕
１１…可動係止片
１２…可動係止片収納空間
１３…ばね
１４…突出端面
１５…係止座面
１６…雄形円弧状摺動面
１７…雌形円弧状摺動面
１８…雄形円弧
１９…雌形円弧
２０…ランド部
２１…斜面
【図１】
2005013556.tif 000003
【図２】
2005013556.tif 000004
【図３】
2005013556.tif 000005
【図４】
2005013556.tif 000006
【図５】
2005013556.tif 000007
【図６】
2005013556.tif 000008
【図７】
2005013556.tif 000009